(57)【要約】【課題】袖パネルの室内側に発生する結露を有効に防止する。【解決手段】鋼製の玄関ドアユニットは、建物の躯体に固定されるドア枠２と、このドア枠２に蝶番４を介して開閉できるように連結している扉１とからなり、ドア枠２が所定の幅を有する袖パネル３を備えている。この袖パネル３は、ドア枠２の屋外側と屋内側とに屋外金属板１１と屋内金属板１２とを固定して、屋外金属板１１と屋内金属板１２との間に中空部１０を設けている。さらに、袖パネル３は、この中空部１０において、屋外金属板１１の内面に断熱シート５を積層して固定しており、この断熱シート５の内面には屋内金属板１２から中空部１０に輻射される輻射熱を反射する輻射熱反射層６を設けている。【選択図】図５
2010281155.tif 000002
【特許請求の範囲】
【請求項１】
建物の躯体に固定されるドア枠(2)と、このドア枠(2)に蝶番(4)を介して開閉できるように連結している扉(1)とからなり、前記ドア枠(2)が所定の幅を有する袖パネル(3)を有し、
この袖パネル(3)は、ドア枠(2)の屋外側と屋内側とに屋外金属板(11)と屋内金属板(12)とを固定して、屋外金属板(11)と屋内金属板(12)との間に中空部(10)を設けており、この中空部(10)にあって、前記屋外金属板(11)の内面には断熱シート(5)を積層して固定しており、さらにまた、この断熱シート(5)の内面には屋内金属板(12)から中空部(10)に輻射される輻射熱を反射する輻射熱反射層(6)を設けてなる鋼製の玄関ドアユニット。
【請求項２】
前記断熱シート(5)が独立気泡を有するプラスチック発泡体である請求項１に記載される鋼製の玄関ドアユニット。
【請求項３】
前記輻射熱反射層(6)がアルミである請求項１に記載される鋼製の玄関ドアユニット。
【請求項４】
前記輻射熱反射層(6)が無機粉末層である請求項１に記載される鋼製の玄関ドアユニット。
【請求項５】
前記袖パネル(3)の屋外金属板(11)と屋内金属板(12)が固定されるドア枠(2)が、屋外側に配設されて建物の屋外に露出する外側フレーム(21)と、屋内側に配設されて屋内に露出してなる内側フレーム(22)とからなり、外側フレーム(21)と内側フレーム(22)が断熱層(23)を介して連結されてなる請求項１に記載される鋼製の玄関ドアユニット。
【請求項６】
前記袖パネル(3)が、内部の中空部(10)を外部に連通して室内の圧力差を解消する圧力差解消装置(9)を設けてなる請求項１に記載される鋼製の玄関ドアユニット。
【発明の詳細な説明】
【技術分野】
【０００１】
本発明は、寒いときに室内側に発生する結露を防止できる鋼製の玄関ドアユニットに関し、とくに玄関ドアの側部に設けている袖パネルの室内側に結露が発生するのを有効に防止できる鋼製の玄関ドアユニットに関する。
【背景技術】
【０００２】
鋼製の玄関ドアユニットは、熱伝導に優れた鋼製の金属板を使用することから、室内側の金属板が、寒気で冷却された屋外側の金属板に冷却されて、寒いときに室内側で結露することがある。屋外の寒気で冷却されて冷たくなる室内側の金属板は、表面に接触する室内空気を冷却する。空気は冷却されると含有できる水分量が少なくなり、過飽和となった水蒸気を水滴として金属板の表面に結露を発生させる。この弊害は、室内側の金属板が室外の冷たい空気で冷却され難くする構造で解消できる。
【０００３】
室内側の金属板と屋外側の金属板とを断熱して連結する構造で、室内側の金属板の結露を防止するドアが開発されている（特許文献１参照）。このドアは、図１と図２に示すように、チャンネル材９１を方形枠組みし、その周囲に合成樹脂製の枠材９２を取り付け、この枠材９２に室内側表面板９３Ａと室外側表面板９３Ｂとを取り付けている。枠材９２は、上枠材９２Ａ、下枠材９２Ｂ、室内側縦枠材９２Ｃ、室外側縦枠材９２Ｄとからなり、室内側枠材９２Ｃと室外側枠材９２Ｄにわたって縦部材９４を取り付けている。このドアは、室内側と室外側の金属製表面板９３の周縁を合成樹脂製の枠材９２で連結する。合成樹脂は、熱伝導率が金属に比較して小さい。このため、この構造のドアは、表面側表面板９３Ａと裏面側表面板９３Ｂとを断熱する状態で連結できる。
【先行技術文献】
【特許文献】
【０００４】
【特許文献１】特開平１０−３７５９５号公報
【発明の概要】
【発明が解決しようとする課題】
【０００５】
しかしながら、図１と図２に示す構造のドアは、室外側表面板９３Ｂと室内側表面板９３Ａとを断熱して結露を防止するので、ドアの内部に外気が流入されると、この外気で室内側表面板９３Ａが冷却されて発生する結露を効果的に防止できない。ドアは、内部を閉鎖構造として外気の侵入を阻止する構造にできる。しかしながら、袖パネルは、種々の機構、たとえば郵便受けの開口部やインターホンなどを固定するための開口部、あるいは室内の圧力差を防止してドアを開きやすくする機構などが設けられることから、内部に外気が侵入しない構造とするのが難しい。このため、袖パネルは内部に侵入する冷気で屋内金属板が冷却されて発生する結露を有効に阻止するのが極めて難しい。
【０００６】
本発明は、以上の欠点を解決することを目的に開発されたものである。本発明の重要な目的は、袖パネルの室内側に発生する結露を有効に防止できる鋼製の玄関ドアユニットを提供することにある。
【課題を解決するための手段及び発明の効果】
【０００７】
本発明の鋼製の玄関ドアユニットは、建物の躯体に固定されるドア枠２と、このドア枠２に蝶番４を介して開閉できるように連結している扉１とからなり、ドア枠２が所定の幅を有する袖パネル３を備えている。この袖パネル３は、ドア枠２の屋外側と屋内側とに屋外金属板１１と屋内金属板１２とを固定して、屋外金属板１１と屋内金属板１２との間に中空部１０を設けている。さらに、袖パネル３は、この中空部１０において、屋外金属板１１の内面に断熱シート５を積層して固定しており、この断熱シート５の内面には屋内金属板１２から中空部１０に輻射される輻射熱を反射する輻射熱反射層６を設けている。
【０００８】
以上の鋼製の玄関ドアユニットは、袖パネルの室内側の金属板の表面に発生する結露を有効に防止できる特徴がある。それは、冷たい外気で冷却される屋外金属板の内面に積層している断熱シートでもって、屋外金属板の中空部に露出する表面の温度低下を防止し、さらに断熱シートの内面に設けている輻射熱反射層でもって、屋内金属板から中空部に輻射される輻射熱を反射して屋内金属板の内面に照射して、屋内金属板の温度低下を防止するからである。とくに、この構造は、屋外金属板の内面に設けている断熱シートで輻射熱反射層の温度の低下を少なくできる。温度低下の少ない輻射熱反射層は、表面に照射される輻射熱を効率よく反射して屋内金属板の内面に熱エネルギーを供給する。この構造によって、屋内金属板は内面からの放熱量を少なくして、放熱による温度低下を小さくできる。温度低下の少ない屋内金属板は、表面に接触する空気温度を低温に冷却することがなく、空気を冷却して過飽和となって発生する結露を防止できる。以上のように、屋内金属板の輻射熱を屋外金属板の内面に設けている輻射熱反射層で反射して、熱エネルギーを再び屋内金属板の内面に供給する構造は、中空部を気密に閉塞することなく、屋内金属板の表面に発生する結露を防止できる特徴がある。したがって、郵便受けなどを設けて内部を気密に閉塞しない袖パネルにおいても、屋内金属板の表面に発生する結露を有効に防止できる特徴がある。
【０００９】
本発明の鋼製の玄関ドアユニットは、断熱シート５を、独立気泡を有するプラスチック発泡体とすることができる。
この構造は断熱シートを薄くしながら優れた断熱特性を実現して、屋外金属板が低温に冷却される状態にあっても、輻射熱反射層の温度低下を少なくできる。
【００１０】
本発明の鋼製の玄関ドアユニットは、輻射熱反射層６をアルミとすることができる。
この構造は、薄いアルミ箔やアルミ板でもって、屋内金属板から輻射される輻射熱を効率よく反射して、屋内金属板の内面に輻射熱を照射して熱エネルギーを供給できる。
【００１１】
本発明の鋼製の玄関ドアユニットは、輻射熱反射層６を無機粉末層とすることができる。
この構造は、無機粉末層でもって、屋内金属板から輻射される輻射熱を吸収し、吸収蓄熱した熱エネルギーを輻射熱として屋内金属板の内面に照射して屋内金属板に熱エネルギーを供給できる。輻射熱を吸収して放熱することで、無機粉末層は照射される輻射熱を反射して、屋内金属板の内面に照射する。
【００１２】
本発明の鋼製の玄関ドアユニットは、袖パネル３の屋外金属板１１と屋内金属板１２とが固定されるドア枠２を、屋外側に配設されて建物の屋外に露出する外側フレーム２１と、屋内側に配設されて屋内に露出してなる内側フレーム２２とで構成し、外側フレーム２１と内側フレーム２２とを、断熱層２３を介して連結することができる。
この玄関ドアユニットは、袖パネルを設けるドア枠の内側フレームの表面に発生する結露も有効に防止できる。
【００１３】
本発明の鋼製の玄関ドアユニットは、袖パネル３に、内部の中空部１０を外部に連通して室内の圧力差を解消する圧力差解消装置９を設けることができる。
この構造の玄関ドアユニットは、圧力差解消装置を設けて袖パネルの中空部を外気に連結する状態としながら、屋内金属板の表面に発生する結露を効果的に防止できる。それは、袖パネルの内部に外気が流入される状態においても、断熱シートと輻射熱反射層でもって、屋内金属板から輻射される輻射熱を反射し、反射された輻射熱を再び屋内金属板の内面に照射して、熱エネルギーを供給して温度低下を少なくできるからである。
【図面の簡単な説明】
【００１４】
【図１】従来のドアの一例を示す水平断面図
【図２】図１に示すドアの垂直断面図
【図３】本発明の一実施例にかかる玄関ドアユニットの正面図である。
【図４】図３に示す玄関ドアユニットの背面図である。
【図５】図３に示す玄関ドアユニットの水平断面図である。
【図６】図３に示す玄関ドアユニットの垂直断面図であって、図５のＶＩ−ＶＩ線断面に相当する図である。
【図７】図３に示す玄関ドアユニットの垂直断面図であって、図５のＶＩＩ−ＶＩＩ線断面に相当する図である。
【図８】本発明の他の実施例にかかる玄関ドアユニットの正面図である。
【図９】図８に示す玄関ドアユニットの背面図である。
【図１０】図８に示す玄関ドアユニットの圧力差解消装置を示すＸ−Ｘ線断面図である。
【図１１】図１０に示す圧力差解消装置のＸＩ−ＸＩ線断面図である。
【図１２】図１０に示す圧力差解消装置が通気する状態を示す水平断面図である。
【図１３】図１１に示す圧力差解消装置が通気する状態を示す垂直断面図である。
【図１４】図１０に示す圧力差解消装置の対向プレートが離れる状態を示す水平断面図である。
【図１５】図１１に示す圧力差解消装置の対向プレートが離れる状態を示す垂直断面図である。
【図１６】圧力差解消装置のロック機構を示す分解斜視図である。
【図１７】図１６に示すロック機構の分解斜視図である。
【発明を実施するための形態】
【００１５】
以下、本発明の実施例を図面に基づいて説明する。ただし、以下に示す実施例は、本発明の技術思想を具体化するための鋼製の玄関ドアユニットを例示するものであって、本発明は鋼製の玄関ドアユニットを以下のものに特定しない。
【００１６】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１７】
図３ないし図７に示す鋼製の玄関ドアユニットは、建物の躯体に固定されるドア枠２と、このドア枠２に蝶番４を介して開閉できるように連結している扉１とを備える。ドア枠２は、縦枠２Ａと横枠２Ｂとを四角形に連結して、その内側に所定の幅の袖パネル３を設けている。袖パネル３は、ドア枠２の屋外側と屋内側とに屋外金属板１１と屋内金属板１２とを固定して、屋外金属板１１と屋内金属板１２との間に中空部１０を設けている。
【００１８】
ドア枠２は、両側に垂直姿勢に配置される一対の縦枠２Ａと、縦枠２Ａの上端に固定している上枠２Ｂｘと、下端に固定している下枠２Ｂｙを有する。ドア枠２は、鋼板等の金属板を折曲加工して製作される。上枠２Ｂｘは、両端を一対の縦枠２Ａの上端に連結している。下枠２Ｂｙは、両端を一対の縦枠２Ａの下端に連結している。このドア枠２は、一対の縦枠２Ａと上枠２Ｂｘと下枠２Ｂｙとを長方形に連結している。この構造は、ドア枠２を製造工場で長方形に連結して、施工現場に運搬できる。ただ、ドア枠は、必ずしも下枠を必要としない。縦枠と上枠をコンクリートや壁等の建物躯体に連結して、縦枠の下端を床や土間にできるからである。
【００１９】
ドア枠２は、鋼板等の金属板を加工して製作される。縦枠２Ａと上枠２Ｂｘは、外側フレーム２１と内側フレーム２２で構成して、外側フレーム２１と内側フレーム２２とを断熱層２３を介して連結している。外側フレーム２１と内側フレーム２２は、厚さを約１．６ｍｍとする鋼板で製作される。ただし、外側フレーム２１と内側フレーム２２は、厚さを１〜２ｍｍとする鋼板で製作することもできる。鋼板製の外側フレーム２１と内側フレーム２２は、安価で強靭な構造にできる特長がある。ただ、外側フレームと内側フレームは、必ずしも鋼板で製作する必要はない。外側フレームと内側フレームは、ステンレス等の金属板を折曲加工して製作することもできる。ステンレス製のドア枠は、錆びない特長がある。
【００２０】
下枠２Ｂｙは、図６と図７の断面図に示すように、折曲加工した２枚の金属板を溶接等の方法で連結して製作される。これ等の図に示すドア枠２は、内側フレーム２２を室内側に配置して、外側フレーム２１を室外側に配置している。
【００２１】
外側フレーム２１と内側フレーム２２は、断熱層２３である断熱フィルム２３Ａを挟着して固定している。断熱フィルム２３Ａは、厚さを約１００μｍとするプラスチックフィルムである。プラスチックフィルムは、塩化ビニル、ポリエチレン、ポリプロピレン等のフィルムである。ただし、断熱フィルムには、布や不織布等をフィルム状としたものも使用できる。プラスチックフィルム製の断熱フィルム２３Ａは、厚さを５０〜５００μｍ、好ましくは５０〜２００μｍとすることもできる。断熱フィルム２３Ａは、厚くして断熱特性を向上できる。断熱フィルム２３Ａを挟着する外側フレーム２１と内側フレーム２２は、ネジ２４やリベットで固定される。
【００２２】
袖パネル３は、ドア枠２の屋外側に屋外金属板１１を、屋内側に屋内金属板１２を固定して、屋外金属板１１と屋内金属板１２との間に中空部１０を設けている。外側フレーム２１と内側フレーム２２とを断熱して固定しているドア枠２は、外側フレーム２１に屋外金属板１１を固定して、内側フレーム２２に屋内金属板１２を固定して、屋外金属板１１と屋内金属板１２とを断熱して連結している。袖パネル３は、屋外金属板１１と屋内金属板１２の片側と上下をドア枠２に連結して、扉１の戸先面に対向する垂直な戸当たり側部で互いに連結して、内部に中空部１０を設けている。屋外金属板１１と屋内金属板１２とを連結して設けている戸当たり側部は、エアータイトパッキン２９を固定する段差凹部１５と、扉１の戸当たり１９を受ける段差部１６とを設けている。
【００２３】
屋外金属板１１と屋内金属板１２は、段差凹部１５の底面で積層し、積層部１４の間に断熱層１３である断熱フィルム１３Ａを挟着して、積層部１４を止ネジ１７で固定している。段差凹部１５にはエアータイトパッキン２９を固定して止ネジ１７を隠蔽している。屋外金属板１１と屋内金属板１２とを断熱して連結する構造は、屋内金属板１２から屋外金属板１１への熱伝導を少なくして、屋内金属板１２の表面に発生する結露をより少なくできる。ただ、屋外金属板と屋内金属板は、断熱することなく直接に固定することもできる。この構造は、屋外金属板と屋内金属板とを強固に固定できる。さらに、この構造の玄関ドアユニットは、ドア枠を外側フレームと内側フレームとに分割することなく、一枚の金属板をプレス加工して製作することができる。
【００２４】
エアータイトパッキン２９は、ドア枠２に設けた段差凹部２５にも固定されて、扉１を閉める状態で扉１の全周を気密に閉塞する。したがって、ドア枠２にもエアータイトパッキン２９を固定するために段差凹部２５を設けて、ここにエアータイトパッキン２９を固定している。ドア枠２の段差凹部２５は、扉１を閉める状態で、扉１の外周が接触する位置に設けられる。
【００２５】
袖パネル３は、図５と図７に示すように、中空部１０にあって、屋外金属板１１の内面に断熱シート５を積層するように固定している。断熱シート５は、粘着層を介して屋外金属板１１の内面に固定され、あるいは接着剤を介して屋外金属板１１の内面に積層して固定される。断熱シート５は、好ましくは屋外金属板１１の全面に固定される。ただ、断熱シートは、必ずしも屋外金属板の全面に固定する必要はなく、たとえば、屋外金属板の全体の５０％以上、好ましくは６０％以上、さらに好ましくは８０％以上の面積に固定される。屋外金属板の内面に固定する断熱シートの面積を大きくして、屋外金属板による放熱を少なくし、また、この表面に設ける輻射熱反射層の面積を大きくして、屋内金属板の結露を少なくできる。
【００２６】
断熱シート５は、独立気泡を有するプラスチック発泡体である。この断熱シート５は、薄くて優れた断熱特性を有するので、その厚さを約２ｍｍとして優れた断熱性を実現する。断熱シート５には、プラスチック発泡体に代わって、細繊維を立体的に集合している不織布やガラス繊維等も使用できる。断熱シート５は、厚くして断熱特性をより向上できるので、２ｍｍよりも厚く、たとえば２ｍｍ〜２０ｍｍとすることもできる。また、断熱特性の優れた断熱シートは薄くできるので、２ｍｍよりも薄く、例えば０．５ｍｍ〜２ｍｍとすることもできる。断熱シートの最適な厚さは、断熱シートの断熱特性や、要求される断熱性、さらに使用される温度環境などを考慮して最適値に設定される。
【００２７】
断熱シート５の内面には、屋内金属板１２から中空部１０に輻射される輻射熱を反射する輻射熱反射層６を設けている。輻射熱反射層６はアルミ箔である。アルミ箔は薄くて屋内金属板１２から輻射する輻射熱を効率よく反射する。このアルミ箔は、屋内金属板１２の輻射熱を再び屋内金属板１２の内面に照射する。ただ、輻射熱反射層は、アルミ板とすることもできる。さらに、輻射熱反射層は、表面を鏡面仕上げしてなる金属板とすることもできる。この輻射熱反射層として、たとえば、アルミ、鉄、銅、真鍮等の金属板の表面に、クロムメッキやニッケルメッキ等を施して表面を鏡面仕上げしたものが使用できる。金属板である輻射熱反射層は、厚さを２ｍｍ以下、好ましくは１ｍｍ以下として、断熱シートの内面に接着して固定される。物体から放射される輻射熱は、物体の温度が高くなるにしたがって大きくなる。したがって、屋内金属板１２は屋外金属板１１に比較して温度が高く、多量の輻射熱を放射する。屋内金属板１２は、輻射熱を放射して熱エネルギーを失う。したがって、輻射熱を放射することで屋内金属板１２は温度が低下する。ただ、本発明の玄関ドアユニットは、放射された輻射熱を中空部１０の輻射熱反射層６で反射して、再び屋内金属板１２の内面に照射する。したがって、輻射熱を放射して熱エネルギーを失っても、輻射した輻射熱が反射されて再び照射されて熱エネルギーが供給される。したがって、屋内金属板１２は、輻射熱を放射して失う熱エネルギーが極めて少なく、温度が低下して発生する結露を防止できる。
【００２８】
さらに、輻射熱反射層は、無機粉末層とすることもできる。無機粉末層の輻射熱反射層は、断熱シートの表面に無機粉末を所定の厚さで積層して設ける。この無機粉末には、セラミックスや金属、あるいは金属化合物等の無機質材を粉末状にしたものを使用する。金属の無機粉末には、アルミニウムやステンレス等の金属を粉末状にしたものが使用でき、金属化合物の無機粉末には、シリカやアルミナ等を粉末状にしたものが使用できる。無機粉末層は、未硬化で液状ないしペースト状のバインダーに無機粉末を混合したものを、断熱シートの表面に塗布して設けることができる。無機粉末層である輻射熱反射層は、屋内金属板から輻射される輻射熱を無機粉末層で吸収し、吸収した熱エネルギーを輻射熱として屋内金属板の内面に照射して屋内金属板に熱エネルギーを供給する。したがって、この輻射熱反射層は、屋内金属板から照射される輻射熱を吸収して放熱することで、屋内金属板の温度低下をより少なくできる。
【００２９】
さらに、図８ないし図１３に示す玄関ドアユニットは、室内外の圧力差解消装置９をドア枠２の袖パネル３に設けている。圧力差解消装置９を設けている袖パネル３は、室外の空気を室内に流入するために、屋外金属板１１に通気穴３１を、屋内金属板１２に通気穴３２を開口している。図８の玄関ドアユニットは、袖パネル３のネームプレート３９を設ける部分に通気穴３１を設けて、この通気穴３１をネームプレート３９に併用される室外プレート４１で開閉するようにしている。
【００３０】
図１０と図１２の水平断面図と、図１１と図１３の垂直断面図に示す袖パネル３は、室外側に設けている屋外金属板１１に設けた通気穴３１を圧力差解消装置９で開閉する。袖パネル３の室内側に設けている屋内金属板１２は、図９に示すように、下部に通気穴３２を設けている。室内側の屋内金属板１２に設けた通気穴３２は、圧力差解消装置９で開閉せず、つねに開口された状態としている。この袖パネル３は、図１２と図１３の矢印で示すように、圧力差解消装置９が室外側の屋外金属板１１に設けた通気穴３１を開口する状態で、室外側の空気を内部に通過させて、室内側の屋内金属板１２の通気穴３２から室内に流入させる。図１０と図１１に示すように、圧力差解消装置９が室外側の屋外金属板１１の通気穴３１を閉塞する状態で、室外の空気は袖パネル３に流入しない。したがって、この状態で室外の空気が室内に流入することはない。
【００３１】
さらに、図１０ないし図１３に示す袖パネル３は、中空部１０にあって、屋外金属板１１の内面に断熱シート５を積層するように固定している。この断熱シート５の内面には屋内金属板１２から中空部１０に輻射される輻射熱を反射する輻射熱反射層６を設けている。断熱シート５は、粘着層を介して屋外金属板１１の内面に固定され、あるいは接着剤を介して屋外金属板１１の内面に積層して固定される。断熱シート５は、好ましくは屋外金属板１１の全面であって、通気穴３１を除く部分に固定される。断熱シートは、屋外金属板の全体の５０％以上、好ましくは６０％以上、さらに好ましくは８０％以上の面積に固定される。
【００３２】
図１０ないし図１３に示す袖パネル３は、室外側の屋外金属板１１に開口した通気穴３１に網材５６を配置している。図の袖パネル３は、屋外金属板１１の内側であって、通気穴３１の全体をカバーするように網材５６を固定している。この網材５６は、例えば、金属網で、網目の大きさが、空気を自由に通過できるが、虫やゴミ等が侵入するのを阻止できるサイズのものを使用する。このように、通気穴３１に網材５６を配置する構造は、ここから虫やゴミが侵入するのを有効に防止できる。
【００３３】
圧力差解消装置９を図１０ないし図１７に示している。これらの図に示す圧力差解消装置９は、袖パネル３の室外側の屋外金属板１１の外側に配設される室外プレート４１と、袖パネル３の室内側の屋内金属板１２の外側に配設している室内プレート４２と、袖パネル３の内部にあって、互いに接近しかつ離れる方向に移動できるように連結している一対の対向プレート４０と、この一対の対向プレート４０を互いに接近位置に係止するロック機構５０と、室内側の屋内金属板１２側に配設している室内側の対向プレート４０Ａを室外プレート４１に連結している第１の連結ロッド４３Ａと、室外側の屋外金属板１１側に配設している室外側の対向プレート４０Ｂを室内プレート４２に連結している第２の連結ロッド４３Ｂとを備えている。
【００３４】
室外プレート４１は、室外側の屋外金属板１１に設けた通気穴３１を閉塞するので、この通気穴３１よりも大きくする。さらに、室外プレート４１は、内面の外周に沿ってパッキン５７を固定して、室外側の屋外金属板１１の通気穴３１を空気漏れなく閉塞できる。室内プレート４２は、室外プレート４１よりも小さくしている。
【００３５】
室外プレート４１と室内プレート４２は、簡単に往復運動できるように表面にグリップ４４を固定している。図のグリップ４４は、金属ロッドをコ字状に折曲加工している。室外側に配置されるグリップ４４は、両端を室外プレート４１に固定している。室内側に配置されるグリップ４４は、両端を室内プレート４２に固定している。
【００３６】
以上の圧力差解消装置９は、連結ロッド４３を介して袖パネル３に往復運動できるように連結される。袖パネル３は、屋外金属板１１及び屋内金属板１２を貫通して連結穴３８を設けている。この連結穴３８に圧力差解消装置９の連結ロッド４３を移動できるように挿入して、圧力差解消装置９は往復運動できるように袖パネル３に連結される。袖パネル３は、室外側の屋外金属板１１と室内側の屋内金属板１２に連結穴３８を設けて、室外側の屋外金属板１１の連結穴３８に第１の連結ロッド４３Ａを、室内側の屋内金属板１２の連結穴３８に第２の連結ロッド４３Ｂを挿通している。第１の連結ロッド４３Ａと第２の連結ロッド４３Ｂは、屋外金属板１１及び屋内金属板１２に設けた連結穴３８に挿通されて、屋外金属板１１及び屋内金属板１２を貫通して軸方向に移動自在に連結している。この連結ロッド４３を介して往復運動される圧力差解消装置９は、室外プレート４１と室内プレート４２を、袖パネル３の屋外金属板１１及び屋内金属板１２に接近し、かつ離れる方向に往復運動できるように連結される。
【００３７】
図１０と図１１に示すように、室外プレート４１が室外側の屋外金属板１１に接近する状態で、袖パネル３に設けた通気穴３１は閉塞される。この状態で、室内プレート４２は室内側の屋内金属板１２から離れる。図１２と図１３に示すように、室外プレート４１が室外側の屋外金属板１１から離れる状態で、通気穴３１は開口されて、図の矢印で示すように、室内に換気される。この状態で、室内プレート４２は室内側の屋内金属板１２に接近するが、袖パネル３は下部に通気穴３２を設けているので、この通気穴３２を介して室内に換気される状態となる。室外プレート４１と室内プレート４２の内側の間隔は、袖パネル３の室外側に設けている屋外金属板１１及び屋内金属板１２と室内側に設けている屋外金属板１１及び屋内金属板１２の間隔よりも広い。したがって、圧力差解消装置９を連結ロッド４３で往復運動して、室外プレート４１と室内プレート４２のいずれかを屋外金属板１１及び屋内金属板１２に接近させる状態で、他方は屋外金属板１１及び屋内金属板１２から離れる位置にある。正確には、ロック機構５０が一対の対向プレート４０を接近位置に配置する状態で、室外プレート４１と室内プレート４２は一方を屋外金属板１１及び屋内金属板１２に接近させると、他方は屋外金属板１１及び屋内金属板１２から離れた位置となる。ただし、図１４と図１５に示すように、ロック機構５０が、ロック状態を解除する状態にあっては、室外プレート４１と室内プレート４２の両方が屋外金属板１１及び屋内金属板１２に接近して、通気穴３１を閉塞する。したがって、ロック状態を解除する状態で、圧力差解消装置９は通気穴３１を開口することはない。
【００３８】
以上の動作するために、ロック機構５０は、図１０ないし図１７に示すように、温度ヒューズ５１と、この温度ヒューズ５１に連結している弾性体５２を備える。図に示す温度ヒューズ５１は、２枚の金属板５１Ａを、熱溶融金属５１Ｂを介して積層しており、この熱溶融金属５１Ｂで２枚の金属板５１Ａの対向面を接合して連結している。この温度ヒューズ５１は、周囲温度が熱溶融金属５１Ｂの融点まで上昇すると、熱溶融金属５１Ｂが溶融されて、２枚の金属板５１Ａの接合状態が解除されて溶断される。ただ、温度ヒューズには、所定の温度で溶断される他の全てのものが使用できる。
【００３９】
温度ヒューズ５１は、溶断されない状態でロック状態、溶断される状態で非ロック状態となる。ロック状態は、図１０ないし図１３に示すように、一対の対向プレート４０を接近位置に配置して、室外プレート４１と室内プレート４２の間隔を、袖パネル３の両面に設けている一対の屋外金属板１１及び屋内金属板１２の間隔よりも広くする。非ロック状態は、図１４と図１５に示すように、温度ヒューズ５１が溶断されて室外プレート４１と室内プレート４２とを互いに接近させて屋外金属板１１の通気穴３１を閉塞する。このロック機構５０は、火災などで周囲の温度が高くなって温度ヒューズ５１が溶断される状態になると、ロック状態が解除されて、一対の対向プレート４０を互いに離れる位置に移動して、室外プレート４１を屋外金属板１１の表面に、室内プレート４２を屋内金属板１２の表面に接触させて、屋外金属板１１の通気穴３１を閉塞する。
【００４０】
ロック機構５０は、非ロック状態で室外プレート４１と室内プレート４２を互いに接近させるために、一対の対向プレート４０の間に押しバネ５４を設けている。図１６に示す押しバネ５４はコイルスプリングで、連結ロッド４３を挿通して、一対の対向プレート４０の間に配置している。図の押しバネ５４は、第２の連結ロッド４３Ｂに挿通している。押しバネ５４に押されて、一対の対向プレート４０が互いに離れる方向に移動できるように、すなわち、一対の対向プレート４０が接近位置から離れる位置に移動できるように、第１の連結ロッド４３Ａは室外側の対向プレート４０Ｂを軸方向に移動できるように貫通し、第２の連結ロッド４３Ｂは室内側の対向プレート４０Ａを軸方向に移動できるように貫通している。
【００４１】
さらに、ロック機構５０は、通常の状態でロック位置にあって、火災などで温度ヒューズ５１が溶断される状態で非ロック状態となるように、温度ヒューズ５１に連結しているロックプレート５３と、このロックプレート５３に連結している弾性体５２とを備えている。ロックプレート５３は、一対の対向プレート４０の間に設けられ、温度ヒューズ５１と弾性体５２は対向プレート４０の外側に配置される。ロックプレート５３が一対の対向プレート４０をロック位置、すなわち接近位置に保持し、非ロック状態では対向プレート４０を離す位置に移動させるために、一対の対向プレート４０は、連結ロッド４３を固定している連結プレート部４０ａの側縁に側壁部４０ｂを設けて、一方の対向プレート４０の側壁部４０ｂを他方の対向プレート４０の側壁部４０ｂの内側に配設して、一対の対向プレート４０の側壁部４０ｂを互いに相対運動できる位置に配置している。図の対向プレート４０は、金属板を溝型に加工して、連結プレート部４０ａの両側縁に側壁部４０ｂを設けている。
【００４２】
温度ヒューズ５１と弾性体５２が配置される対向プレート４０（図においては、室内側の対向プレート４０Ａ）の側壁部４０ｂは、長手方向に伸びる縦スリット４５を設けており、この縦スリット４５に沿って移動するようにロックプレート５３を一対の対向プレート４０の間に配置している。図に示す室内側の対向プレート４０Ａは、両側の側壁部４０ｂの対向する位置に縦スリット４５を設けている。また、ロックプレート５３は、縦スリット４５を通過して、外側に配置される側壁部４０ｂに向かって突出する係止凸部５３ａを設けている。図のロックプレート５３は、両側の同じ位置に係止凸部５３ａを設けている。さらに、温度ヒューズ５１と弾性体５２が配置されない対向プレート４０（図においては、室外側の対向プレート４０Ｂ）の側壁部４０ｂには、ロックプレート５３の係止凸部５３ａを案内する係止スリット４６を設けている。この係止スリット４６は、縦スリット４５の方向に伸びるロックスリット４６ａと、このロックスリット４６ａに連結しているロック解除スリット４６ｂとを設けている。ロック解除スリット４６ｂは、長手方向に伸びるロックスリット４６ａに直交する横方向に伸びて、側壁部４０ｂの側縁に開口する。
【００４３】
また、ロックプレート５３は、図１７に示すように、中間の一部を直角に折曲して、温度ヒューズ５１と弾性体５２に連結する折曲片５３ｂを設けている。この折曲片５３ｂは、対向プレート４０に長手方向に伸びるように設けた貫通スリット４７に案内されて、対向プレート４０の外側に突出している。図のロックプレート５３の折曲片５３ｂは、第１の連結ロッド４３Ａを連結している室内側の対向プレート４０Ａの連結プレート部４０ａに長手方向に伸びるように設けている。折曲片５３ｂは、先端を２分岐して、一方には温度ヒューズ５１を、他方には弾性体５２を連結している。
【００４４】
温度ヒューズ５１は、対向プレート４０の外側にあって、ロックプレート５３をロック位置に停止する。この温度ヒューズ５１は、一端をロックプレート５３に他端を対向プレート４０に連結している。対向プレート４０は、温度ヒューズ５１と弾性体５２を連結するために、連結プレート部４０ａの一部を外側に折曲して連結片４８、４９を設けている。温度ヒューズ５１と弾性体５２は、第１の連結ロッド４３Ａを連結する室内側の対向プレート４０Ａの外側に配置するので、この室内側の対向プレート４０Ａの連結プレート部４０ａに連結片４８、４９を設けている。温度ヒューズ５１は、一端をこの連結片４８に連結して、他端をロックプレート５３の折曲片５３ｂに連結している。図の温度ヒューズ５１は、２枚の金属板５１Ａの端部であって、反対側に位置して連結孔５１ａを開口しており、この連結孔５１ａに連結片４８と折曲片５３ｂを挿入して連結している。また、弾性体５２は、一端を対向プレート４０の連結片４９に、他端をロックプレート５３の折曲片５３ｂに連結している。
【００４５】
以上の圧力差解消装置９は、図１０と図１２に示すロック状態において、ロックプレート５３の係止凸部５３ａをロックスリット４６ａに案内して、一対の対向プレート４０を接近位置にロックする。弾性体５２は引っ張りバネで、温度ヒューズ５１が溶断される状態ではロックプレート５３を引っ張って、対向プレート４０を長手方向に移動させて、係止凸部５３ａをロック解除スリット４６ｂに案内する方向に付勢している。非溶断状態にある温度ヒューズ５１は、ロックプレート５３の係止凸部５３ａをロックスリット４６ａに案内して、一対の対向プレート４０をロック状態として接近位置に配置する。火災などで温度ヒューズ５１が溶断されると、弾性体５２がロックプレート５３を引っ張って移動し、ロックプレート５３の係止凸部５３ａをロック解除スリット４６ｂに案内する。この状態になると、押しバネ５４が一対の対向プレート４０を押して、図１４に示すように、互いに離す方向に移動させる。一対の対向プレート４０が互いに離す方向に移動されると、連結ロッド４３でもって、室外プレート４１と室内プレート４２は互いに接近する方向に移動されて、室外プレート４１が屋外金属板１１の表面に、室内プレート４２が屋内金属板１２の表面に密着される。この状態で、室外プレート４１は屋外金属板１１に設けた通気穴３１を閉塞する。
【００４６】
以上の圧力差解消装置９は、扉１を開くことに先だって、以下のようにして、室内外の圧力差を解消少なくして、扉１を軽く開くことができるようにする。この状態において、温度ヒューズ５１は溶断された状態になく、ロック機構５０はロック状態にあって、一対の対向プレート４０を接近位置とし、これに連結している室外プレート４１と室内プレート４２を離した状態に保持している。この状態で、図１２と図１３に示すように、室外プレート４１のグリップ４４を引っ張って室外プレート４１を袖パネル３の室外側の屋外金属板１１から引き離す。室外プレート４１が室外側の屋外金属板１１から離されると、室外側の屋外金属板１１に設けている通気穴３１が開口される。この状態で、室外の空気は、室外側の屋外金属板１１に設けた通気穴３１から袖パネル３に流入し、さらに、袖パネル３の室内側の屋内金属板１２に設けた通気穴３２から室内に流入する。すなわち、室外から室内に空気が流入して、室内と室外の圧力差は解消される。この状態で扉１を軽く開くことができる。
【００４７】
袖パネル３の通気穴３１を閉塞するときは、以上の状態から、室内プレート４２に設けたグリップ４４を引っ張って、図１０と図１１に示すように、室外プレート４１を室外側の屋外金属板１１に密着する。この状態になると、室外側の屋外金属板１１の通気穴３１は室外プレート４１で閉塞される。この状態で、圧力差解消装置９は、袖パネル３に設けた通気穴３１を閉塞する。さらに、室外プレート４１を室外側の屋外金属板１１に密着させて通気穴３１を閉塞する状態に保持するために、この位置で室内側の屋内金属板１２の内面に吸着される永久磁石５５を対向プレート４０に固定している。この構造は、室外プレート４１を室外側の屋外金属板１１に密着させた状態に保持できる。室外プレート４１を室外側の屋外金属板１１から離すときは、室外プレート４１のグリップ４４を引っ張って、永久磁石５５の吸着状態を解除する。
【００４８】
以上の圧力差解消装置９は、手でグリップ４４を操作して通気穴３１を開閉するが、圧力差解消装置は、図示しないが、赤外線センサースイッチと電源回路により、通気穴をアクチュエータで開閉することもできる。この圧力差解消装置は、ロック状態にある対向プレートをアクチュエータで往復運動させて室外プレートで通気穴を開閉するので、室外プレート及び室内プレートに固定するグリップを省略して、すっきりとした外観にできる。
【００４９】
以上の玄関ドアユニットは、室外プレート４１又は室内プレート４２を屋外金属板１１及び屋内金属板１２に密着する状態で、火災が発生すると温度ヒューズ５１が溶断される。温度ヒューズ５１が溶断されると、図１４に示すように、ロックプレート５３のロック状態が解除されて、押しバネ５４が一対の対向プレート４０を互いに離すように移動する。この状態になると、対向プレート４０は連結ロッド４３を介して室外プレート４１と室内プレート４２とを互いに接近させる方向に移動する。この状態で、室外プレート４１は、室外側の屋外金属板１１に密着し、室内プレート４２は室内側の屋内金属板１２に密着する。室外プレート４１と室内プレート４２とが互いに接近することから、室外プレート４１がどの位置にあっても、室外側の屋外金属板１１に密着して、通気穴３１を確実に閉塞する。したがって、火災が発生するときには、通気穴３１を確実に閉塞して防火ドアとしての特性を満足する。
【符号の説明】
【００５０】
１…扉
２…ドア枠                    ２Ａ…縦枠
２Ｂ…横枠
２Ｂｘ…上枠
２Ｂｙ…下枠
３…袖パネル
４…蝶番
５…断熱シート
６…輻射熱反射層
９…圧力差解消装置
１０…中空部
１１…屋外金属板
１２…屋内金属板
１３…断熱層                  １３Ａ…断熱フィルム
１４…積層部
１５…段差凹部
１６…段差部
１７…止ネジ
１９…戸当たり
２１…外側フレーム
２２…内側フレーム
２３…断熱層                  ２３Ａ…断熱フィルム
２４…止ネジ
２５…段差凹部
２９…エアータイトパッキン
３１…通気穴
３２…通気穴
３８…連結穴
３９…ネームプレート
４０…対向プレート            ４０Ａ…室内側の対向プレート
４０Ｂ…室外側の対向プレート
４０ａ…連結プレート部
４０ｂ…側壁部
４１…室外プレート
４２…室内プレート
４３…連結ロッド              ４３Ａ…第１の連結ロッド
４３Ｂ…第２の連結ロッド
４４…グリップ
４５…縦スリット
４６…係止スリット            ４６ａ…ロックスリット
４６ｂ…ロック解除スリット
４７…貫通スリット
４８…連結片
４９…連結片
５０…ロック機構
５１…温度ヒューズ            ５１Ａ…金属板
５１ａ…連結孔
５１Ｂ…熱溶融金属
５２…弾性体
５３…ロックプレート          ５３ａ…係止凸部
５３ｂ…折曲片
５４…押しバネ
５５…永久磁石
５６…網材
５７…パッキン
９１…チャンネル材
９２…枠材                  ９２Ａ…上枠材
９２Ｂ…下枠材
９２Ｃ…室内側縦枠材
９２Ｄ…室外側縦枠材
９３…表面板                ９３Ａ…室内側表面板
９３Ｂ…室外側表面板
９４…縦部材
【図１】
2010281155.tif 000003
【図２】
2010281155.tif 000004
【図３】
2010281155.tif 000005
【図４】
2010281155.tif 000006
【図５】
2010281155.tif 000007
【図６】
2010281155.tif 000008
【図７】
2010281155.tif 000009
【図８】
2010281155.tif 000010
【図９】
2010281155.tif 000011
【図１０】
2010281155.tif 000012
【図１１】
2010281155.tif 000013
【図１２】
2010281155.tif 000014
【図１３】
2010281155.tif 000015
【図１４】
2010281155.tif 000016
【図１５】
2010281155.tif 000017
【図１６】
2010281155.tif 000018
【図１７】
2010281155.tif 000019